(57)【要約】【課題】  浸水災害が予想される際において、非難時間等を侵食することなく短時間内に家屋等への浸水を実効的に阻止することができる浸水防止工法を提供する。【解決手段】  家屋２０等の外壁の水害に際して予想される浸水水位Ｄ以下の部分を可撓性の浸水防止シート１０によって家屋の所定箇所に配する。浸水防止シート１０は、外壁に水密に取り付ける必要はなく、粘着手段又は添着手段等を用いて上端部のみを外壁に簡単に添着すれば足りる。また、浸水防止シート１０の下端部は、その一定幅を基礎地盤に沿わせて水平姿勢（Ｌ字状）になるように折り曲げておく。可撓性の浸水防止シー１０は、家屋等内に流入しようとする水Ｗの水圧Ｐによって家屋等の外壁に張り付き、浸水防止効果が発揮される。【選択図】  図１
2013151854.tif 000002
【特許請求の範囲】
【請求項１】
ガレージなどの家屋に取りつけられているシャッターの下方側から地面にかかる位置に沿わせた状態に供給される浸水防止シートであって、浸水防止シートの所定幅の上方側にシャッターに対する粘着手段又は接着手段を有することを特徴とする浸水防止シート。
【請求項２】
前記浸水防止シートの粘着手段又は接着手段は、シャッターの凹凸部にわたる幅間隔を有すること特徴とする請求項１記載の浸水防止シート。
【請求項３】
前記浸水防止シートは、透明の素材であり、その所定幅の上方端に着色が施されていること特徴とする請求項１記載の浸水防止シート。
【請求項４】
所定幅を有する不特定長さの可撓性の浸水防止シートを使用して、ガレージなどの家屋に取りつけられているシャッターの下方側から地面にかかる位置に沿わせた状態に浸水防止シートを供給して、シャッターに倣って浸水防止シートを添着することを特徴とする家屋等への浸水防止工法。
【請求項５】
前記浸水防止シートを前記シャッターの左右の外壁・柱・ブロックとともに添着することを特徴とする請求項４記載の家屋等への浸水防止工法。
【請求項６】
前記浸水防止シートの所定箇所で粘着手段又は接着手段を併用すること特徴とする請求項４記載の家屋等への浸水防止工法。
【請求項７】
前記浸水防止シートの上端縁部を前記シャッターの凹凸部に亘るように粘着又は接着することを特徴とする請求項４記載の家屋等への浸水防止工法。
【請求項８】
前記シャッターを含むガレージなどの家屋の全周に浸水防止シートを巻き回すことを特徴とする請求項４ないし７のいずれか１項記載の家屋等への浸水防止工法。
【発明の詳細な説明】
【技術分野】
【０００１】
本発明は、台風予報、大雨洪水警報や津波警報、河川の決壊警報等に際して、専門業者等に依存することなく居合わせの家人において短時間内に施工完了することができるとともに、それにもかかわらず、現実的に高い浸水防止効果が得られる家屋等への浸水防止工法に関し、特にシャッター構造の家屋等への浸水防止工法と浸水防止シートに関する。
【背景技術】
【０００２】
予報技術の進歩および予報単位地域の細分化等によって、今日における気象関連予報の的中精度が格段に向上している。このことは、単純に非難に奔走するばかりでなく、予想される災害に対する対応策を講じる時間的余裕が得られるということでもある。
【０００３】
家屋等の倒壊または流失のような家屋等の存否自体が問題となる規模の災害が予想される場合においては、個人的な対応策の余地がなく、早急に指定の避難場所に避難すべきである。水害で最も多く、かつ現実に被害の多いのが床下浸水、または床上浸水程度の災害である。このような水害時における被害の特徴は、人命に及ぶような場合は少なく、家財が泥水に浸かって使用不能となり、当面の日常生活に支障を来たすという被害が大勢を占める。
【０００４】
例えば、強風による災害が時間余裕を持って予報されるような場合においては、不安定な建具の固定や、飛散し易い物品の固定、倒壊し易い物品の先倒し等の対応策をとることができる。しかし、浸水災害が時間的な余裕を持って予報されたような場合に、具体的な対応策をとることは難しい。
【０００５】
従来、特殊な物質を扱う工場や、避難場所に指定されるような公共施設においては、浸水防止対策として水防シャッターまたは水防堰を備える例や（下記、特許文献２参照）、土嚢を備蓄する例がある。また、特殊なユニット工法やパネル工法による家屋等の新築に際しては、単位ユニット全体を防水シートで被覆する例や（下記、特許文献１参照）、隣接するパネル間で表面の防水シートを重ね合わせるというような提案例（下記、特許文献３参照）が見られる。
【先行技術文献】
【特許文献】
【０００６】
【特許文献１】特開平９−２２８４９５号公報
【特許文献２】特開２００３−３１４１７３号公報
【特許文献３】特開２０１１−９９２２６号公報
【発明の概要】
【発明が解決しようとする課題】
【０００７】
ところで、木造の家屋は、水密化が困難であって水害に対する抵抗力に乏しい。
【０００８】
また、水害に際して浸水が問題になるのは、コンクリート基礎に設けられた通風口、窓枠開口、玄関開口等を含めた家屋等の全体構造について問題になることと、シャッターの隙間部分などからの侵入にも対応する必要がある。
【０００９】
また、水防シャッターまたは水防堰を備える場合においても、水防シャッター等で家屋等の全体を囲い込まない限り有効でない場合もある。また、互いに連結されるパネル間における浸水防止性能が十分であるとしても、そのような性能がパネルと別部材との連結部分（シャッターの隙間部分など）についても得られるというものではない。
【００１０】
なお、窓枠開口や玄関開口に関して、建て付けられている引き戸や扉を閉じておけば浸水の問題ないと考えるのは、現実の浸水被害状況に照らしても大きな誤りである。例えば、窓枠開口に建て付けられている引き戸は、１対の戸車を介して窓枠レールに嵌め込まれており、１対の戸車以外の部分は、窓枠レールから浮いている。窓枠レールには、ラビリンス構造が採用され、風の直接的な吹き抜けについては防止されるようになっているが、浸水防止機能には乏しい。玄関扉についても、そのヒンジ取付け側には、ヒンジを円滑に作動させるための必要最低限の間隙が設定されており、浸水を完全に防止することは困難である。このことは、いわゆる防火扉や水防扉とされるものの場合には、普通扉のようなヒンジによる煽り動作に加えて、扉板を平行移動させてシール付きの戸枠に密着させる複雑な構成が採用されることからも明らかである。
【００１１】
本発明は、以下の条件を満たすことを課題として、大雨洪水警報等に際して、既往の家屋等に対して、工事業者以外の人員においても短時間内に施工することができる家屋等への浸水防止工法を提供することを目的とする。なお、本発明の説明において「家屋等」とは、住居用の一般家屋のほかに、集合住宅、車庫、倉庫、工場、店舗（コンビニエンスストアを含む。）、その他、浸水被害から保護するに足る保護価値を有する建造物を含むものであり、また、シャッター構造を有するものを含む。
上記目的を達成するために解決すべき課題としては、本発明の浸水防止工法に使用する部材が一般家庭に備蓄しておける物であることの条件を満たすことが必要である。これは、緊急事態に際して必要部材を調達する時間的余裕がないこと、また、浸水災害は、特定地域の多数の家屋等に対する同時多発的脅威であり、品不足によって必要部材が調達不能となることが懸念されるからである。
【００１２】
特定の専門業者でなければ施工できないような工事内容を伴わないことが必要である。換言すれば、居合わせの家人においても短時間内に簡単に施工することができる工事内容であることの条件を満たすこと。これは、施工後に避難する場合の非難時間が侵食されないために必要であるともに、同時多発的な脅威に対して特定の業者に多数件の施工依頼が集中した場合、施工が間に合わなくなる事態に至ることが容易に想定されるからである。
【００１３】
現実の浸水防止効果が確実に得られることの条件を満たすことが必要である。これは、本発明の本質的要件であり、外見的効果を重視した実効を伴わない形式的な工法を自ら戒める条件である。
【００１４】
家屋等に対する浸水の危険が去った後は、家屋等を簡単に原状に復帰させることができることの条件を満たすことが必要である。家屋等は、竣工事における状態において所定の住環状等を提供できるように設計されており、したがって、浸水防止工事状態をそのまま放置することは、耐用年数を含め家屋等の本来の諸性能を維持する上で支障をきたす恐れがあるからであり、また、原状に復帰するのに過分の費用を要さないようにするためである。
【００１５】
すなわち、本発明の目的は、素人であっても簡単且つ避難時間を侵食することのない短時間内に施工完了することができ、そのような簡単な工事内容にもかかわらず、現実に顕著な浸水防止効果が得られ、浸水の危険が去った後においては、家屋等を簡単に原状に復帰させることができる浸水防止工法、および、一般家庭においても格別の不利不便を負担することなく備蓄しておくことができる浸水防止工法のための浸水防止シートを提供することにある。
【課題を解決するための手段】
【００１６】
本発明の家屋等への浸水防止工法は、所定幅を有する不特定長さの可撓性の浸水防止シートを使用して、ガレージなどの家屋に取り付けられているシャッターの下方側から地面にかかる位置に沿わせた状態に浸水防止シートを供給して、シャッターに倣って浸水防止シートを添着することを特徴とする。また、本発明の浸水防止シートは、ガレージなどの家屋に取りつけられているシャッターの下方側から地面にかかる位置に沿わせた状態に供給される浸水防止シートであって、浸水防止シートの所定幅の上方側にシャッターに対する粘着手段又は接着手段を有することを特徴とする。ここで、本明細書において、添着とは、添えて付けることで、粘着手段又は接着手段等を使用せずとも良ものと定義する。例えば、家屋の外周に巻き回すようにして添着させたり、雨水などの浸水を利用してシャッターに倣わせたりして添着させたり、シャッターに対しては予め水を掛けておきそれから沿わせる（倣わせる）と添着することができる。他方、粘着手段又は接着手段は、粘着剤、接着剤、面ファスナ等を使用するものとして、定義する。
【００１７】
上記解決手段において最も重要な点は、水の浸入を防止するための浸水防止シートを家屋等に侵入しようとする水の水圧によって家屋等の外壁やシャッターに密着させるという、いわば通常の浸水防止手段にとっては脅威となる水圧を逆手に取った考え方を採用している。そして、このことによって、家屋等の外壁やシャッターに浸水防止シートを水密に添着する作業を極めて容易なものとするとともに、浸水防止効果を極めて確実なものとし、水圧が失われた後における浸水防止シートの除去作業を極めて容易なものとしている。よって、浸水防止シートは、洪水などの浸水を利用して家屋の外壁に倣わせられる柔軟性を有することが必要である。
【００１８】
本発明としては、浸水防止シートの上端縁部に粘着手段又は接着手段を設けることが好ましいが、必ずしも必要でなく、シャッターに沿って所定高さに浸水防止シートを配置できれば、後は雨水などの浸水を利用してシャッターに倣って浸水防止シートを添着することができる。シャッターは下方に閉じても遊び（クリアランスによって移動する幅）があるので、雨水などの浸水を移動しながら受け入れて、シャッターに無理なく沿わせることができる（添着できる）。シャッターの左右に柱や壁やブロックなどがある場合は、これらを含めて浸水防止シートを沿わせることが好ましい。上記粘着手段又は接着手段は、粘着性テープ、両面テープ、面ファスナなどを使用して、浸水防止シートの幅方向の上端側に貼着させてからシャッターに貼着させたり、又、シャッターや外壁・柱に先に貼着させてから浸水防止シートの方に貼着させたりすることができる。そして、浸水防止シートの上端縁部を前記シャッターの凹部と凸部に亘るように接着等すると、浸水防止シートとシャッターとの隙間から水が入り込む事態を防止する。浸水防止シートとしては、前記浸水防止シートの粘着手段又は接着手段は、シャッターの凹凸部にわたる幅間隔を有することが好ましい。シャッターの凹凸部を利用して浸水防止シートを確実に添着できると共に、水の浸入を確実に防止できるからである。また、浸水防止シートは、透明の素材であり、その所定幅の上方端に着色が施されていることが好ましい。透明であることで、シャッターに対する引き出し長さなどを確認したり、シャッターの下方位置を確認しながら作業でき、その上端側が着色されていることで、透明な素材の高さ位置を確認でき、剥離するときも容易になるからである。また、浸水防止シートの幅方向の上方端は剥離のために接着剤等を施さずに、上端よりもやや下方位置に接着剤等を施しても良い、この場合の着色部分は上端が好ましい。
浸水防止シートは、地域状況に応じて想定される浸水水位よりも大きいことが好ましいが、必ずしもその必要はなく、シャッターを下方に閉じたときの隙間からの水の浸入を防止することができる。浸水防止シートの上端側は家屋等に侵入しようとする水の水圧によってシャッターに密着させることができるからである。
ここで、「地域状況に応じて想定される浸水水位」とは、その地域における過去の水害状況や現在における治水対策状況等の分析に基づいて、浸水災害が発生したと仮定した場合において客観的に想定される最大水位を言う。浸水防止シートについて「所定全幅」とは、一定幅で連続的に形成された浸水防止シートをロール巻きにした場合の幅方向についての全長を言う。浸水防止シートについて「不特定長さ」とは、個々の家屋等ごとにその家屋等の外壁周りの周囲長さが異なるが、そのいずれの家屋等の周囲長さにも個々に対応できる長さを表現しており、この長さについては、特に限定する必要がない。また、浸水防止シートの「所定全幅のうちの所定幅」とは、所定全幅の範囲内において一定の幅を設定した場合の幅寸法をいう。
【００１９】
本発明の家屋等への浸水防止工法は、シャッターと家屋等の外壁・柱との隙間や、家屋等の外壁に通風口等の開口部が存在する場合には、この開口部に盲板を施工した後、家屋等の外壁に浸水防止シートを添着する工法とすることができる。
本解決手段は、浸水防止シートに対する強度要求を低減し、これによって異物の表面形状に対して密着性に富む薄手の軟質浸水防止シートの採用が可能である。つまり、開口部を単に浸水防止シートによって被覆した場合には、水圧によって浸水防止シートが開口部内に押し込まれ、結果的に引張り強度限度を超えるに至って破断する恐れがある。このような事態に対応するためには、より高強度の浸水防止シートを採用する対応策と、開口部を応急的に塞ぐ対応策とがある。本発明では、浸水防止シートの使用量が多量であって高価な素材を使用した場合にはコスト負担が問題になること、浸水防止シートの選択肢が限定的になること、家屋等の外壁に対する浸水防止シートの密着性が低下する恐れがあること等を勘案して開口部に盲板を施工し、浸水防止シートに対する強度要求を低下させる方法を採用する。
【００２０】
本発明としては、前記立ち上げた浸水防止シートの上端縁部を前記シャッターの凹部と凸部に亘るように添着することを特徴とする。ここで、浸水防止シートの所定全幅の残余部分を家屋等の外壁に沿わせて立ち上げ、立ち上げた浸水防止シートの上端縁部を粘着テープによって家屋等の外壁に固定した後、浸水防止シートの上端縁部の全長または要所で粘着手段又は接着手段を併用することが好ましい。
本発明によれば、浸水防止シートの上端縁部を前記シャッターの凹部と凸部に亘るように添着することにより、添着効果を高めることができるとともに、雨水の浸入防止効果を高めることができる。そして、上記粘着手段又は接着手段を併用することで、上記添着効果と雨水の浸入防止効果をより高めることができる。これらにより、浸水防止シートの幅は、浸水の水よりも短くともよくなる。
【００２１】
本発明の家屋等への浸水防止工法は、家屋等の玄関扉として、想定される浸水水位を超える高さ位置に、玄関扉が開かなくなった際において人の出入りを可能とする緊急時開口部を備える玄関扉を予め設置した後、設置した玄関扉を含む家屋等の外壁の全周に浸水防止シートを添着する工法とすることができる。
【００２２】
本発明としては、前記浸水防止シートを前記シャッターの左右の外壁・柱とともに添着することを特徴とする。ここで、前記シャッターの左右の外壁・柱に前記浸水防止シートを添着させ易くするための溝や凹凸を形成しておくか、或いは、そもそもこれらを有する外壁・柱に前記浸水防止シートを添着させることが好ましい。なお、前記シャッターでの前記浸水防止シートの添着を行った後に、前記シャッターの左右の外壁・柱と前記シャッターとを更に浸水防止シートで添着するというような二重構造にすることが好ましい。
本発明によれば、前記シャッターの左右の外壁・柱と前記シャッターとの間からの雨水の浸入を防止するとともに、浸水防止シートの剥離防止効果を高めることができる。
【００２３】
本発明としては，前記シャッターを含むガレージなどの家屋の外壁の全周に浸水防止シートを添着することを特徴とする。
本発明によれば、家屋の外壁の全周に浸水防止シートを添着することによって、シャッター以外の箇所からの雨水の浸入を防止することができる。
【００２４】
前記浸水防止シートに前記シャッターの凹部に対応する凸部が形成されていることを特徴とする。
本発明によれば、前記浸水防止シートに前記シャッターの凹部に対応する凸部が形成されていることから、前記浸水防止シートをシャッターに確実に添着できるとともに、雨水の浸水防止効果を高めることができる。
【００２５】
本発明としては、前記浸水防止シートに浸水防止シートの所定全幅の一端側に浸水防止シートの不特定長さの全長にわたって所定幅のマスキングテープをそのマスキングテープのほぼ半幅部分を浸水防止シートに粘着層を施工することが好ましい。
本発明によれば、所定幅の市販のマスキングテープの半幅部分を予め浸水防止シートに粘着施工しておき、残る半幅部分を家屋等の外壁に対して浸水防止シートを添着するための粘着層として活用可能である。マスキングテープは、使用後に剥がすことを予定した粘着テープであるために剥離性に優れ、家屋等の外壁を汚損することなく極めて簡単に浸水防止シートを取り外すことができる。
【発明の効果】
【００２６】
本発明の家屋等への浸水防止工法は、地域状況に応じて想定される浸水水位を超える所定全幅を有する不特定長さの可撓性の浸水防止シートの所定全幅の一端側をシャッターに添着させるという簡単な作業によって浸水防止シートの添着作業を短時間内に完了することができる。浸水防止シートは、ロール状に巻き取ることができるので、一般家庭においても大きな収納負担を要することなく備蓄しておくことができる。
【００２７】
本発明の家屋等への浸水防止工法は、シャッターなどの外壁に対し、ガレージや家屋等に侵入しようとする水の水圧によってシャッター等の外壁に密着させることが可能になる。また、シャッターの凹凸を利用して浸水防止シートの上端側の添着を確実にしたり、シャッターの左右の外壁・柱や建物全周囲にも巻き回すことで、浸水防止効果を極めて確実なものする。
【図面の簡単な説明】
【００２８】
【図１】本発明の浸水防止シートの実施の形態を示す斜視図である。
【図２】本発明の浸水防止シートの他の実施の形態を示す斜視図である。
【図３】木造家屋を対象とする本発明の浸水防止工法の実施の形態を示す正面図である。
【図４】上記実施の形態における木造家屋の基礎部の平面図である。
【図５】上記実施の形態における浸水防止工法の要部の説明図である。
【図６】車庫を対象とする本発明の浸水防止工法の実施の形態を示す斜視図である。
【図７】シャッター構造の家屋の場合に適用した本発明の浸水防止工法の実施の形態を示す斜視図である。
【図８】シャッター構造の家屋の場合に適用した本発明の浸水防止工法の実施の形態を示す斜視図である。
【図９】シャッター構造の家屋の場合に適用した本発明の浸水防止工法の実施の形態を示す斜視図である。
【図１０】本発明の浸水防止工法の他の実施の形態を示す要部の正面図である。
【図１１】本発明の浸水防止工法の他の実施の形態を示す要部の平面図である。
【図１２】本発明の浸水防止シートのさらに他の実施の形態を示す斜視図である。
【図１３】本発明の浸水防止シートのさらに他の実施の形態を示す斜視図である。
【発明を実施するための形態】
【００２９】
以下、本発明の家屋等への浸水防止工法、および、その浸水防止工法に使用する浸水防止シートの実施の形態を図面を引用しながら説明する。
【００３０】
浸水防止工法に使用する浸水防止シート１０は、所定幅と不特定長さを有するように裁断された可撓性の樹脂製シート部材１１の一端縁部に沿って感圧性粘着剤による粘着層１２を形成してなる（図１）。この際の樹脂製シート部材１１の所定幅は、通常浸水防止シート１０の所定全幅Ｌに一致する。可撓性の浸水防止シート１０は、収納性および取扱い性を考慮して紙管Ｒにロール状にして巻き取られている。
【００３１】
樹脂製シート部材１１に対する要求事項としては、非透水性であること、物体の表面形状に追随して自由に変形することができる十分な可撓性を有すること、焼却廃棄に際して環境ホルモンのような有害物質を発散しないこと、したがって、分子鎖に塩素を含む素材は使用しないことが好ましい。また、好ましくは、低コストであることである。また、好ましくは、低コストであることである。このような樹脂材料としては、汎用樹脂材料中のポリエチレン樹脂やビニール製等の合成樹脂製や、これらにコーティングを施したものを推奨することができる。また、透明な浸水防止シート１０による覆った場合でも家屋の状態が確認できるので透明であることが好ましい。
【００３２】
浸水防止シート１０の所定全幅Ｌは、例えば、その地域における過去の水害歴等の地域状況に応じて想定される浸水水位を考慮し、その浸水水位に十分な余裕寸法を加算した寸法に設定される。具体的な浸水水位が想定できない場合、一般的な所定全幅Ｌとしては、９０センチメートルないし１２０センチメートルあれば十分と考えられる。また、家屋等の外周部を取り巻く態様で使用される浸水防止シート１０の長さは、家屋等の周囲長さを超える不特定長さが必要である。家屋等の周囲長さが特定されたとしても、家屋等の外壁周りを２周ないし３周する態様で使用することは差し支えないのであり、浸水防止シート１０の長さは特に限定する必要がない。
【００３３】
浸水防止シート１０に形成する粘着層１２は、感圧性粘着剤の一面に剥離紙１３を付与してなる、いわゆる両面粘着テープを使用して形成することができる。両面粘着テープ１２は、樹脂製シート部材１１の幅方向の一端縁部に長手方向に沿って不特定長さの全長にわたって付設される。この際、剥離紙１３は、除去しないで残しておくほうが便利である。なお、粘着層１２は、樹脂製シート部材１１の不特定長さの全長に及んで形成することが必要ではあるが、必ずしも不特定長さの全長にわたって連続している必要はない。つまり、粘着層１２は、点線をなすように形成することができる。
【００３４】
粘着層１２は、感圧性粘着剤による所定幅Ｌ２のマスキングテープ１５を使用して形成することもできる（図２）。マスキングテープ１５は、その半幅Ｌ１を樹脂製シート部材１１からはみ出させる態様で樹脂製シート部材１１の一端縁部に粘着施工するものとし、はみ出した半幅Ｌ１部分が、浸水防止シート１０の粘着層１２として機能することができる。この場合いの浸水防止シート１０の所定全幅Ｌは、樹脂製シート部材１１の幅にマスキングテープ１５の半幅Ｌ１を加えた寸法に一致する。ただし、マスキングテープ１５の半幅Ｌ１は、浸水防止シート１０の用途からして、無視して差し支えない幅寸法である。
【００３５】
上記のような浸水防止シート１０を使用して施工する本発明の家屋等への浸水防止工法は、家屋２０の基礎部分を簡単に取り巻くように施工された浸水防止シート１０を浸水水害の元凶である水Ｗの水圧Ｐによって家屋２０の外壁に密着させることによって、高度の水密化工事をした場合と同等の浸水防止機能を発揮させることができる（図３）。
【００３６】
図３に例示する家屋２０は、木造２階建てアスファルトルーフィング葺居宅という建物種類に属するわが国における主流を占める住宅である。このような家屋２０における「外壁」とは、家屋２０の内部環境と外部環境とを区画する部材の総称であり、コンクリート基礎２１、モルタル吹き付け、または外壁パネル張りの壁面２３、玄関扉２４、固定式または開閉式のガラス戸２６その他の区画部材を含む概念である。
【００３７】
家屋２０のコンクリート基礎２１には、正面視における通風口Ｈ，Ｈのほか、多数の通風口Ｈ…が設けられ（図４）、玄関扉２４の前方にはアプローチ階段２２が設置されている。家屋２０の側面側には壁面２３に沿わせて給湯ユニット２７が付設され、反対側面の壁面２３には、窓枠開口が床面レベルに及ぶ、いわゆる掃き出し形式のガラス戸２６が建て付けられている（図４、図５）。また、背後側の壁面には、勝手口扉２８が建て付けられている。
【００３８】
家屋２０に対する浸水防止シート１０の施工は、家屋２０のコーナ部分から開始することが好ましい（図５）。なお、施工に先立ち、コンクリート基礎２１に設けられている通風口Ｈを例えば発泡スチロール製の盲板Ｂによって塞いでおくことが好ましい。このような材質の盲板Ｂは、容易に変形するので通風口Ｈより僅かに大寸法に成形したものを通風口Ｈに無理嵌めすることによって簡単に取り付けることができる。
【００３９】
浸水防止シート１０は、所定全幅Ｌの方向を縦方向にして使用する。この際、所定全幅Ｌのうちの所定幅Ｌ３を基礎地盤Ｇに沿わせるように水平方向に曲げ（Ｌ字状に折り曲げ）、所定全幅Ｌの残余部分を家屋２０の壁面２３に沿って立ち上げる態様で使用する。基礎地盤Ｇに沿わせる所定幅Ｌ３は、基礎地盤Ｇの状況によって判断すればよく、例えば、基礎地盤Ｇが舗装されている場合は狭くてよく、砂利敷均し地盤であるような場合には、広めに設定することを要する。そして、Ｌ字状の部分に重りを載せると良い。
【００４０】
壁面２３に沿って立ち上げた浸水防止シート１０の上端部は、粘着層１２を利用して壁面２３に貼り付けて固定する。次いで、浸水防止シート１０の上端部の高さ位置を一定に維持しながら紙管Ｒから浸水防止シート１０を繰り出し、家屋２０の外壁周りに配する。ここでは少なくとも一周するが、浸水を防止する所定箇所でも良い。最後に浸水防止シート１０の始端１０Ａと終端１０Ｂを十分にオーバラップさせて浸水防止シート１０をカットする。
【００４１】
浸水防止シート１０の基本的な施工要領は、家屋２０に給湯ユニット２７のような付属物が存する場合、細工を要することなく給湯ユニット２７を家屋２０の一部とみなして浸水防止シート１０によって取り囲むように施工すれば足りる（図４）。また、基礎地盤Ｇに玄関部のアプローチ階段のような立上り段差がある場合には、段差分浸水防止シート１０を切り詰めてもよく、そのまま施工してもよい。また、基礎地盤Ｇに立下り段差がある場合には、部分的に浸水防止シート１０を継ぎ足して施工することもできる。
【００４２】
浸水防止シート１０の施工は、できるだけ家屋２０の外壁周りの壁面２３等に密着させるようにすることが好ましいが、基礎地盤Ｇの沿わせる浸水防止シート１０の所定幅Ｌ３が確保された状態において浸水防止シート１０の上端部が想定される浸水水位Ｄを上回っており、かつ、家屋２０の外壁周りに浸水防止シート１０が少なくとも一周施工されている限り、厳密な密着作業は不要である。また、そのような完全な作業は困難でもある。本発明の浸水防止工法は、簡単な添着状態の浸水防止シート１０が水Ｗの水圧Ｐを受けて家屋２０に密着することによって他動的に完成されるからである（図１）。
【００４３】
浸水防止シート１０の上記のような施工要領は汎用的であり、家屋等が車庫３０である場合にも、そのまま適用することが可能である（図６）。すなわち、施工対象物が異なっても施工内容が大きく異なることがないことが特徴である。上記車庫にはシャターＳａの扉が設けられており、浸水防止シート１０の上端部の高さ位置を一定に維持しながら少なくとも一周して、浸水防止シート１０の始端１０Ａと終端１０Ｂを十分にオーバラップさせる。ここで、該シャッターＳａと左右の壁Ｓｋの一方とを上記施工方法で施工したり、シャッターＳａと左右の壁Ｓｂとの間の隙間部分Ｓｓが最も浸水する可能性が高いために、この隙間部分Ｓｓは二重構造にすると良い。また、上記隙間部分Ｓｓには、柔軟性のある素材のスペーサＳｐを配してから浸水防止シート１０でカバーしたり、浸水防止シート１０でカバーしてからスペーサＳｐを配して上記隙間Ｓｓを埋め固定しても良い。さらに、シャッターＳａの反対側（家屋の内側）からも、上記のように浸水防止シート１０を装着しても良い。
次に、シャッターＳａとその左右の壁Ｓｋに及ぶように浸水防止シート１１を施工したものが図７である。図７では、シャッターＳａとその左右側のみ施工することと、浸水防止シート１０の上端縁部に粘着手段又は接着手段１２を設けていないものであり、左右の壁Ｓｋを覆う部分からシャッターＳａに沿って配するとともにブロックＳｂにも及ぶように配している。左右の壁Ｓｋの下方にはブロックＳｂなどの突出した部分がある場合は、浸水防止シート１０の前後端１０Ａ，１０Ｂをこれらに及ぶようにしたり、さらに重りを載せることにより、浸水防止シート１０の上端縁部に粘着手段又は接着手段１２を設けていないものであっても、シャッターＳａに倣って浸水防止シート１０を添着することができる。
ガレージなどの家屋のシャッターＳａを閉じるために引き下げ、該引き下げたシャッターＳａ下方側から地面にかかる位置に沿わせた状態に浸水防止シート１０を供給するときに、左右の壁Ｓｋの下方にはブロックＳｂなどの突出した部分にも十分に及ぶようにして、雨水などの浸水を利用してシャッターＳａに倣って浸水防止シート１０を添着する。このように配置するだけで、雨水などの浸水により浸水防止シート１０をシャッターＳａに無理なく無理なく添着できる。ここで、浸水防止シート１０とシャッターＳａとの静電気を利用して添着させても良い。なお、前記シャッターＳａを閉じた下方側端部（Ｌ字状部）に浸水防止シート１０を介して配される下方側押さえ部材Ｚを配することが好ましい（図７）。また、シャッターＳａの下方側Ｓｇに対応する浸水防止シート１０の下方側１０ｋにも粘着層１２を設けることで、シャッターＳａの下方側Ｓｇへの貼着を確実にすることもできる。
ここで、粘着性テープ、両面テープや面ファスナーなどの添着手段１２を使用する場合は、図８と図９に示すように、浸水防止シート１０の幅方向の上端側に貼着させてからシャッターＳａに貼着させたり、又、ブロックＳｂに先に貼着させてから浸水防止シート１０の上方に貼着させたり、柱Ｓｆに巻き付けるように貼着してから浸水防止シート１０の上方に貼着させたりできる。また、浸水防止シート１０の上端縁部（粘着層１２）をシャッターＳａの凹凸部Ｓｃに亘るように添着すると、浸水防止シート１０とシャッターＳａとの隙間から水が入り込む事態を防止するとともに、凹凸部Ｓｃを利用して貼着が確実になる。浸水防止シート１０の上端縁部（粘着層１２）には、着色部分１０ｃを施すことが好ましい。この着色部分１０ｃは、粘着手段又は接着手段１２の位置と同じ位置にすると作業性が良くなるが、着色部分１０ｃは粘着手段又は接着手段１２よりも、広い幅にしたり、短い幅にすることもできる。
このようにシャッターＳａの扉を浸水防止シート１０で覆うようにしてから、該シャッターＳａを含む家屋２０の外周に浸水防止シートを巻き回すようにすることで、家屋全体の浸水を防止できる。なお、本発明は、一般重量シャッター、外壁用防火シャッター、グリルシャッター（全体がグリル（格子）となっており、閉鎖時も内部を見ることができる。）、パネルシャッター（横引きパネルシャッターを含む。）等に適用可能である。
【００４４】
次に、防水用の扉（ドア）や玄関保護囲い４０とともに上記浸水防止シート１０を施す場合を説明する。浸水防止シート１０の施工された家屋２０に出入りする必要がある場合においては、開閉可能なガラス戸２６を利用して出入りすることができる。しかし、開閉可能なガラス戸２６があっても、必ずしも人の出入りに利用できる状況にあるとは限らない。本発明の浸水防止工法は、このような場合の対応策として、家屋２０の玄関扉２４として、想定される浸水水位Ｄを超える高さ位置に玄関扉２４が開かなくなった際において人の出入りを可能とする緊急時開口部２Ｅを備える玄関扉２４を事前工事として設置しておく方法を採ることができる（図１３）。
【００４５】
本発明の浸水防止工法に関する限り、玄関扉２４における緊急時開口部２Ｅの開閉方式は不問である。つまり、緊急時開口部２Ｅは、取外し方式であってもよく、スライド開閉方式であってもよく、煽り動作による開閉方式、その他の開閉方式であってもよい。緊急時開口部２Ｅを備える玄関扉２４の事前準備によって、浸水防止シート１０を施工した家屋２０に玄関口から玄関扉２４そのものを開閉することなく簡単に出入りすることができる。
【００４６】
浸水防止シート１０が施工された家屋２０への人の出入りを確保する他の方法としては、玄関保護囲い４０を利用する方法を採用することもできる（図１１）。
【００４７】
玄関保護囲い４０は、家屋２０の玄関口開口の左右位置に設置する一対の側壁４１，４１と、側壁４１，４１の先端部の内側面に添え付ける門柱形のガイドポスト４２，４２と、ガイドポスト４２，４２に形成した案内溝に嵌め込む任意枚数の堰板４３とから、例えば、門扉のような外観を有するように組み立てることができる。側壁４１、ガイドポスト４２、堰板４３の材質は特に限定されないが、大きな開口部がなく、家屋２０内に侵入しようとする水の水圧に耐える強度を有することが要件となる。堰板嵌込み方式は、小規模河川の水位調節用の水門に応用される遮断方式であり、使用する堰板４２の枚数によって、上端部の高さを加減することができる。
【００４８】
上記のような玄関保護囲い４０は、平時には堰板４２を使用せずに専ら玄関部を風雨から保護する目的で使用することができる。堰板４２は、大雨洪水警報等に際して、人が通行することができる高さの範囲で必要枚数を左右のガイドポスト４２，４２間に嵌め込んで使用する。浸水防止シート１０は、玄関保護囲い４０を家屋２０の一部と見なし、その外側を取り囲むように施工する。本方法においては、玄関扉２４に対しては浸水防止シート１０が施工されないので、屋外の浸水水位が玄関扉２４に及ぶレベルに上昇しても玄関扉２４の開閉操作には支障が及ばない。したがって、家屋２０内への水の侵入を阻止しつつ、本発明の浸水防止工法を施工した家屋２０への自由な出入りが確保される。
【００４９】
ここで、家屋２０に対する本発明の浸水防止工法の施工後、押し寄せる濁流によって浸水防止シート１０の使用上における下端縁部分、つまり基礎地盤Ｇに沿わせた部分が巻き上げられたり、水の浮力によって浮上し、浸水防止効果が阻害される懸念がある場合には、このような事態を予め回避するために、浸水防止シート１０の下端縁に金属チェーン１６や重錘１７…等の比重の大きい部材（少なくとも水よりも比重の大きい部材）を付加することができる（図１２）。また、同じ目的を達成するために浸水防止シート１０の下端縁に麻布１８やタオル布地等の吸水部材を付加することもできる（図１３）。
【００５０】
浸水防止シート１０の下方端側に金属チェーン１６等を取り付ける際には、局部的な応力集中による下方端側の部分的断裂を避けるため取付け部分に鳩目１１Ｅ…を打ち、鳩目１１Ｅを介して取り付けることが好ましい。また、麻布１８やタオル布地等の吸水部材を付加するには、硬化によって下方端側部材の可撓性を阻害するおそれがある接着手段によるよりも、縫製手段を推奨する。樹脂製シートの下端縁に付加された吸水部材は、水を吸って実質的な重錘として機能することができるとともに、破れ易い下方端側の下端縁をその可撓性を阻害することなく効果的に補強することができる補給部材としても効果的に機能するとともに、筒状に巻き回して販売等することもできる。
【符号の説明】
【００５１】
Ｄ            浸水水位、
Ｌ            所定全幅、
Ｌ３          所定幅、
Ｇ            基礎地盤、
Ｐ            水圧、
Ｗ            水（水位）、
Ｂ            盲板、
Ｓａ          シャッター、Ｓｂ  ブロック、Ｓｋ  家屋の壁、
Ｓｇ          シャッターの下方側、
１０          浸水防止シート、１０ｃ  着色部分、
１２          粘着層（粘着テープ、粘着手段、接着手段）、
１５          マスキングテープ、
２０          家屋（ガレージ、車庫）、
２４          玄関扉（扉）、
２Ｅ          緊急時開口部、
４０          玄関保護囲い、
４１          側壁、
４２          堰板
【図１】
2013151854.tif 000003
【図２】
2013151854.tif 000004
【図３】
2013151854.tif 000005
【図４】
2013151854.tif 000006
【図５】
2013151854.tif 000007
【図６】
2013151854.tif 000008
【図７】
2013151854.tif 000009
【図８】
2013151854.tif 000010
【図９】
2013151854.tif 000011
【図１０】
2013151854.tif 000012
【図１１】
2013151854.tif 000013
【図１２】
2013151854.tif 000014
【図１３】
2013151854.tif 000015